(57)【要約】【課題】操作者の操作負担を低減し、利便性を向上することができる無線タグ情報読み取りシステム、無線タグ情報管理サーバ、及び無線タグ情報読み取り装置を提供する。【解決手段】リーダ２００は、情報を記憶するＩＣ回路部１５０と情報の送受信を行うアンテナ１５１とを備えた無線タグ回路素子Ｔoに対し無線通信を行うためのアンテナ２１０を備え、タグラベル作成装置３００は、集線装置３０により接続されたリーダ２００を介し、情報読み取り用の無線タグ回路素子Ｔoから取得した情報を記憶するための記憶部３１０と、送信先情報に基づき、記憶部３１０に記憶した情報を、集線装置３０により接続された複数のＰＣ端末１００のうち対応するＰＣ端末１００へ振り分けて出力するように制御する制御回路３１１とを有する。【選択図】図２
2008134878.tif 000002
【特許請求の範囲】
【請求項１】
無線タグ情報管理サーバと、複数の無線タグ情報読み取り装置と、これら複数の無線タグ情報読み取り装置に対応して設けられた複数の操作端末と、前記無線タグ情報管理サーバと前記複数の無線タグ情報読み取り装置及び前記複数の操作端末とを、ネットワークを介して信号出力先へ配信可能に接続する配信接続手段とを有する無線タグ情報読み取りシステムであって、
前記無線タグ情報読み取り装置は、
情報を記憶するＩＣ回路部と情報の送受信を行うタグ側アンテナとを備えた無線タグ回路素子に対し無線通信を行うための読み取り用アンテナを備え、
前記無線タグ情報管理サーバは、
前記配信接続手段により接続された前記無線タグ情報読み取り装置を介し、情報読み取り用の前記無線タグ回路素子から取得した情報を記憶するための読み取り情報記憶手段と、
振り分け先情報に基づき、前記読み取り情報記憶手段に記憶した情報又はこれに対応する情報を、前記配信接続手段により接続された前記複数の操作端末のうち対応する操作端末へ振り分けて出力する情報振り分け手段とを有する
ことを特徴とする無線タグ情報読み取りシステム。
【請求項２】
請求項１記載の無線タグ情報読み取りシステムにおいて、
前記無線タグ情報管理サーバは、
前記無線タグ情報読み取り装置を介し、情報振り分け先設定用の前記無線タグ回路素子から振り分け先情報を取得するための振り分け先情報取得手段を有し、
前記情報振り分け手段は、
前記振り分け先情報手段で取得した振り分け先情報に基づき、前記読み取り情報記憶手段に記憶した情報又はこれに対応する情報を、前記対応する操作端末へ振り分けて出力する
ことを特徴とする無線タグ情報読み取りシステム。
【請求項３】
請求項２記載の無線タグ情報読み取りシステムにおいて、
前記無線タグ情報管理サーバの前記振り分け先情報取得手段は、
前記情報振り分け先設定用の無線タグ回路素子から、１つの前記無線タグ情報読み取り装置を介し取得された情報を、当該１つの無線タグ情報読み取り装置に対応する１つの前記操作端末に対応づける前記振り分け先情報を取得し、
前記情報振り分け手段は、
その取得した振り分け先情報に基づき、前記読み取り情報記憶手段に記憶した情報又はこれに対応する情報を、前記１つの無線タグ情報読み取り装置に対応した前記１つの操作端末へ出力するように、前記出力先を設定する
ことを特徴とする無線タグ情報読み取りシステム。
【請求項４】
請求項３記載の無線タグ情報読み取りシステムにおいて、
前記無線タグ情報管理サーバの前記情報振り分け手段は、
前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、その取得時における受信信号強度に応じて出力先を設定する
ことを特徴とする無線タグ情報読み取りシステム。
【請求項５】
請求項３記載の無線タグ情報読み取りシステムにおいて、
前記複数の無線タグ情報読み取り装置は、
前記情報読み取り用の無線タグ回路素子に対し複数種類の送信出力により情報の送受信を行い、各出力ごとの送受信結果を前記無線タグ情報管理サーバへ出力し、
前記無線タグ情報管理サーバの前記情報振り分け手段は、
前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、前記無線タグ情報読み取り装置より入力された前記各出力ごとの送受信結果に応じて出力先を設定する
ことを特徴とする無線タグ情報読み取りシステム。
【請求項６】
複数の無線タグ情報読み取り装置と、これら複数の無線タグ情報読み取り装置に対応して設けられた複数の操作端末とに接続された無線タグ情報管理サーバであって、
前記無線タグ情報読み取り装置を介し、情報読み取り用の前記無線タグ回路素子から取得した情報を記憶するための読み取り情報記憶手段と、
振り分け先情報に基づき、前記読み取り情報記憶手段に記憶した情報又はこれに対応する情報を、前記複数の操作端末のうち対応する操作端末へ振り分けて出力する情報振り分け手段と
を有することを特徴とする無線タグ情報管理サーバ。
【請求項７】
請求項６記載の無線タグ情報管理サーバにおいて、
前記無線タグ情報読み取り装置を介し、情報振り分け先設定用の前記無線タグ回路素子から振り分け先情報を取得するための振り分け先情報取得手段を有し、
前記情報振り分け手段は、
前記振り分け先情報手段で取得した振り分け先情報に基づき、前記読み取り情報記憶手段に記憶した情報又はこれに対応する情報を、前記対応する操作端末へ振り分けて出力する
ことを特徴とする無線タグ情報管理サーバ。
【請求項８】
請求項７記載の無線タグ情報管理サーバにおいて、
前記振り分け先情報取得手段は、
前記情報振り分け先設定用の無線タグ回路素子から、１つの前記無線タグ情報読み取り装置を介し取得された情報を、当該１つの無線タグ情報読み取り装置に対応する１つの前記操作端末に対応づける前記振り分け先情報を取得し、
前記情報振り分け手段は、
その取得した振り分け先情報に基づき、前記読み取り情報記憶手段に記憶した情報又はこれに対応する情報を、前記１つの無線タグ情報読み取り装置に対応した前記１つの操作端末へ出力するように、前記出力先を設定する
ことを特徴とする無線タグ情報管理サーバ。
【請求項９】
請求項８記載の無線タグ情報管理サーバにおいて、
前記情報振り分け手段は、
前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、その取得時における受信強度に応じて出力先を設定する
ことを特徴とする無線タグ情報管理サーバ。
【請求項１０】
請求項８記載の無線タグ情報管理サーバにおいて、
前記複数の無線タグ情報読み取り装置からの、前記情報読み取り用の無線タグ回路素子に対し複数種類の送信出力により情報の送受信を行ったときの各出力ごとの送受信結果を入力する送受信結果入力手段を有し、
前記情報振り分け手段は、
前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、前記送受信結果入力手段で入力した前記各出力ごとの送受信結果に応じて出力先を設定する
ことを特徴とする無線タグ情報管理サーバ。
【請求項１１】
請求項６乃至請求項１０のいずれか１項記載の無線タグ情報管理サーバにおいて、
情報を記憶するＩＣ回路部と情報の送受信を行うタグ側アンテナとを備えたラベル用の無線タグ回路素子を配置したタグ媒体を搬送する搬送手段と、
前記ラベル用無線タグ回路素子に対し、無線通信を介し情報の送受信を行うためのラベル作成用アンテナと
を有することを特徴とする無線タグ情報管理サーバ。
【請求項１２】
情報を記憶するＩＣ回路部と情報の送受信を行うタグ側アンテナとを備えた無線タグ回路素子に対し無線通信を行うための読み取り用アンテナを備え、無線タグ情報管理サーバに接続された無線タグ情報読み取り装置であって、
前記読み取り用アンテナを介し、情報読み取り用の前記無線タグ回路素子から情報を取得し、前記無線タグ情報管理サーバへ出力する一般情報出力モードと、前記読み取り用アンテナを介し、前記一般情報出力モードで前記無線タグ情報管理サーバへ出力した情報の当該無線タグ情報管理サーバからの情報振り分け先設定用の前記無線タグ回路素子から振り分け先情報を取得し、前記無線タグ情報管理サーバへ出力する振り分け先情報出力モードとを切り替えるモード切替手段を有することを特徴とする無線タグ情報読み取り装置。
【請求項１３】
請求項１２記載の無線タグ情報読み取り装置において、
前記モード切替手段は、
装置電源投入直後は前記振り分け先情報出力モードに切り替え、
この振り分け先情報出力モードにおいて、１つの前記情報振り分け先設定用無線タグ回路素子からの振り分け先情報の取得及び前記無線タグ情報管理サーバへの出力が終了したら、前記一般情報出力モードに切り替える
ことを特徴とする無線タグ情報読み取り装置。
【発明の詳細な説明】
【技術分野】
【０００１】
本発明は、非接触で情報の読み取り／書き込みを行える無線タグ回路素子の無線タグ情報を読み取るための無線タグ情報読み取り装置、この無線タグ情報読み取り装置と接続された無線タグ情報管理サーバ、及びこれらを有する無線タグ情報読み取りシステムに関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えている。リーダのアンテナより無線タグ回路素子に対し送信波の送信を行うと、無線タグ回路素子はその送信波の電波のもつエネルギを利用して返答の送信を行う。このようなリーダを用いて無線タグ回路素子から情報読み取りを行う従来技術として、例えば特許文献１記載のものがある。
【０００３】
この従来技術は、操作端末（ＰＣ）とリーダとを接続し、操作端末で所定の操作を行うことにより、リーダよりファイルや人間に所持された無線タグ回路素子の記憶情報を読み取って取得するものである。
【０００４】
一方、例えば、このような無線タグ回路素子に無線タグ情報を書き込んで無線タグラベルを作成する無線タグラベル作成装置が既に提唱されている（例えば、特許文献２参照）。この従来技術では、所定間隔で無線タグ回路素子が設けられた帯状のタグテープ（基材テープ）がタグテープロール（第１ロール）から繰り出されるとともに、別のロール（第２ロール）から繰り出された被印字テープが上記タグテープに貼り合わされる。このとき、上記タグテープの無線タグ回路素子には装置側で生成した所定の無線タグ情報が送信されてＩＣ回路部に書き込まれ、被印字テープにはその書き込まれる無線タグ情報に対応した印字が印字手段によって行われ、これによって印字つきの無線タグラベルが作成されるようになっている。
【０００５】
【特許文献１】特開２００５−２９８１００号公報
【特許文献２】特開２００５−１８６５６７号公報
【発明の開示】
【発明が解決しようとする課題】
【０００６】
一般に、上記特許文献２に記載のようなタグラベル作成装置で作成された無線タグラベルは、管理対象（物品等）に貼り付けられる等、関連付けられて設けられる。そして、上記特許文献１記載のようなリーダにより、上記商品等に設けられた無線タグラベルから無線タグ情報が読み取られて、商品に関する情報を入手して当該商品の管理等が行われる。
【０００７】
ここで、一般にリーダにより無線タグラベルから読み取られた無線タグ情報は、リーダからＬＡＮ等のネットワークを介してＰＣ端末や情報サーバ等に送信される。このとき、ネットワークに複数のＰＣ端末やサーバ等が接続されている場合、リーダからの情報の送信先が複数箇所存在することになる。このような場合、リーダに対し操作者が無線タグ情報の送信先を手動設定する必要があり、手間を要していた。
【０００８】
本発明の目的は、操作者の操作負担を低減し、利便性を向上することができる無線タグ情報読み取りシステム、無線タグ情報管理サーバ、及び無線タグ情報読み取り装置を提供することにある。
【課題を解決するための手段】
【０００９】
上記目的を達成するために、第１の発明は、無線タグ情報管理サーバと、複数の無線タグ情報読み取り装置と、これら複数の無線タグ情報読み取り装置に対応して設けられた複数の操作端末と、前記無線タグ情報管理サーバと前記複数の無線タグ情報読み取り装置及び前記複数の操作端末とを、ネットワークを介して信号出力先へ配信可能に接続する配信接続手段とを有する無線タグ情報読み取りシステムであって、前記無線タグ情報読み取り装置は、情報を記憶するＩＣ回路部と情報の送受信を行うタグ側アンテナとを備えた無線タグ回路素子に対し無線通信を行うための読み取り用アンテナを備え、前記無線タグ情報管理サーバは、前記配信接続手段により接続された前記無線タグ情報読み取り装置を介し、情報読み取り用の前記無線タグ回路素子から取得した情報を記憶するための読み取り情報記憶手段と、振り分け先情報に基づき、前記読み取り情報記憶手段に記憶した情報又はこれに対応する情報を、前記配信接続手段により接続された前記複数の操作端末のうち対応する操作端末へ振り分けて出力する情報振り分け手段とを有することを特徴とする。
【００１０】
本願第１発明の無線タグ情報読み取りシステムにおいては、操作端末に対応して配置された無線タグ情報読み取り装置の読み取り用アンテナを介して情報読み取り用の無線タグ回路素子から無線タグ情報管理サーバで情報が取得され、その取得された情報を読み取り情報記憶手段が記憶する。そして、振り分け先情報に基づき、情報振り分け手段が、出力先を複数の上記操作端末のうち対応するものへと設定することにより、上記読み取り情報記憶手段に記憶された情報（又はこれに対応する情報）はその設定された操作端末へと出力される。
【００１１】
このようにして、複数の操作端末及び複数の無線タグ情報読み取り装置が配信接続手段を介し無線タグ情報管理サーバに接続され、情報読み取り用の無線タグ回路素子から無線タグ情報管理サーバにおいて取得された情報の出力先が複数の操作端末のうちどれであるかが不定の場合であっても、操作者がいちいち煩雑な手動設定を行わなくても自動的に対応する操作端末を出力先として設定することができる。この結果、操作者の操作負担を低減し、利便性を向上することができる。
【００１２】
第２の発明は、上記第１発明において、前記無線タグ情報管理サーバは、前記無線タグ情報読み取り装置を介し、情報振り分け先設定用の前記無線タグ回路素子から振り分け先情報を取得するための振り分け先情報取得手段を有し、前記情報振り分け手段は、前記振り分け先情報手段で取得した振り分け先情報に基づき、前記読み取り情報記憶手段に記憶した情報又はこれに対応する情報を、前記対応する操作端末へ振り分けて出力することを特徴とする。
【００１３】
本願第２発明の無線タグ情報読み取りシステムにおいては、操作端末に対応して配置された無線タグ情報読み取り装置の読み取り用アンテナを介して情報読み取り用の無線タグ回路素子から無線タグ情報管理サーバで情報が取得され、その取得された情報を読み取り情報記憶手段が記憶する。一方、振り分け先情報取得手段が無線タグ情報読み取り装置の読み取り用アンテナを介し情報振り分け設定用の無線タグ回路素子から振り分け先情報を取得する。そして、この取得された振り分け先情報に基づき、情報振り分け手段が出力先を複数の上記操作端末のうち対応するものへと設定することにより、上記読み取り情報記憶手段に記憶された情報（又はこれに対応する情報）はその設定された操作端末へと出力される。
【００１４】
このようにして、複数の操作端末及び複数の無線タグ情報読み取り装置が配信接続手段を介し無線タグ情報管理サーバに接続され、情報読み取り用の無線タグ回路素子から無線タグ情報管理サーバにおいて取得された情報の出力先が複数の操作端末のうちどれであるかが不定の場合であっても、情報振り分け設定用の無線タグ回路素子に対し情報読み取りを行い振り分け先情報を取得することで、操作者がいちいち煩雑な手動設定を行わなくても自動的に該当する操作端末を出力先として設定することができる。この結果、操作者の操作負担を低減し、利便性を向上することができる。
【００１５】
第３の発明は、上記第２発明において、前記無線タグ情報管理サーバの前記振り分け先情報取得手段は、前記情報振り分け先設定用の無線タグ回路素子から、１つの前記無線タグ情報読み取り装置を介し取得された情報を、当該１つの無線タグ情報読み取り装置に対応する１つの前記操作端末に対応づける前記振り分け先情報を取得し、前記情報振り分け手段は、その取得した振り分け先情報に基づき、前記読み取り情報記憶手段に記憶した情報又はこれに対応する情報を、前記１つの無線タグ情報読み取り装置に対応した前記１つの操作端末へ出力するように、前記出力先を設定することを特徴とする。
【００１６】
これにより、１つの無線タグ情報読み取り装置と１つの操作端末とを対応付け、ある無線タグ情報読み取り装置を介し読み取り用無線タグ回路素子から取得された情報を、当該無線タグ情報読み取り装置に対応した操作端末へと出力することができる。
【００１７】
第４の発明は、上記第３発明において、前記無線タグ情報管理サーバの前記情報振り分け手段は、前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、その取得時における受信信号強度に応じて出力先を設定することを特徴とする。
【００１８】
これにより、同一の読み取り用無線タグ回路素子からの情報が複数の無線タグ情報読み取り装置を介し取得された場合であっても、受信信号強度の大小に応じて、いずれの無線タグ情報読み取り装置が当該読み取り用無線タグ回路素子に対応したものである(例えば最も距離が近い、通信に適した箇所にある等)かを特定し、その特定した無線タグ情報読み取り装置に対応した操作端末を出力されるべき端末であるとみなし、出力先として設定することができる。したがって、情報の誤配信を防止できる。
【００１９】
第５の発明は、上記第３発明において、前記複数の無線タグ情報読み取り装置は、前記情報読み取り用の無線タグ回路素子に対し複数種類の送信出力により情報の送受信を行い、各出力ごとの送受信結果を前記無線タグ情報管理サーバへ出力し、前記無線タグ情報管理サーバの前記情報振り分け手段は、前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、前記無線タグ情報読み取り装置より入力された前記各出力ごとの送受信結果に応じて出力先を設定することを特徴とする。
【００２０】
これにより、同一の読み取り用無線タグ回路素子からの情報が複数の無線タグ情報読み取り装置を介し取得された場合であっても、各無線タグ情報読み取り装置における各出力大きさごとの送受信結果に応じて、いずれの無線タグ情報読み取り装置が当該読み取り用無線タグ回路素子に対応したものである(例えば最も距離が近い、通信に適した箇所にある等)かを特定し、その特定した無線タグ情報読み取り装置に対応した操作端末を出力されるべき端末であるとみなし、出力先として設定することができる。
【００２１】
第６の発明は、複数の無線タグ情報読み取り装置と、これら複数の無線タグ情報読み取り装置に対応して設けられた複数の操作端末とに接続された無線タグ情報管理サーバであって、前記無線タグ情報読み取り装置を介し、情報読み取り用の前記無線タグ回路素子から取得した情報を記憶するための読み取り情報記憶手段と、振り分け先情報に基づき、前記読み取り情報記憶手段に記憶した情報又はこれに対応する情報を、前記複数の操作端末のうち対応する操作端末へ振り分けて出力する情報振り分け手段とを有することを特徴とする。
【００２２】
本願第６発明の無線タグ情報管理サーバにおいては、操作端末に対応して配置された無線タグ情報読み取り装置の読み取り用アンテナを介して情報読み取り用の無線タグ回路素子から情報が取得され、その取得された情報を読み取り情報記憶手段で記憶する。そして、振り分け先情報に基づき、情報振り分け手段で、出力先を複数の上記操作端末のうち対応するものへと設定することにより、上記読み取り情報記憶手段に記憶された情報（又はこれに対応する情報）をその設定された操作端末へと出力する。
【００２３】
このようにして、複数の操作端末及び複数の無線タグ情報読み取り装置が配信接続手段を介して接続されており、情報読み取り用の無線タグ回路素子から取得された情報の出力先が複数の操作端末のうちどれであるかが不定の場合であっても、操作者がいちいち煩雑な手動設定を行わなくても自動的に対応する操作端末を出力先として設定することができる。この結果、操作者の操作負担を低減し、利便性を向上することができる。
【００２４】
第７の発明は、上記第６発明において、前記無線タグ情報読み取り装置を介し、情報振り分け先設定用の前記無線タグ回路素子から振り分け先情報を取得するための振り分け先情報取得手段を有し、前記情報振り分け手段は、前記振り分け先情報手段で取得した振り分け先情報に基づき、前記読み取り情報記憶手段に記憶した情報又はこれに対応する情報を、前記対応する操作端末へ振り分けて出力することを特徴とする。
【００２５】
本願第７発明の無線タグ情報管理サーバにおいては、操作端末に対応して配置された無線タグ情報読み取り装置の読み取り用アンテナを介して情報読み取り用の無線タグ回路素子から情報が取得され、その取得された情報を読み取り情報記憶手段で記憶する。一方、振り分け先情報取得手段で無線タグ情報読み取り装置の読み取り用アンテナを介し情報振り分け設定用の無線タグ回路素子から振り分け先情報を取得する。そして、この取得された振り分け先情報に基づき、情報振り分け手段で出力先を複数の上記操作端末のうち対応するものへと設定することにより、上記読み取り情報記憶手段に記憶された情報（又はこれに対応する情報）をその設定された操作端末へと出力する。
【００２６】
このようにして、複数の操作端末及び複数の無線タグ情報読み取り装置が配信接続手段を介し接続され、情報読み取り用の無線タグ回路素子から取得された情報の出力先が複数の操作端末のうちどれであるかが不定の場合であっても、情報振り分け設定用の無線タグ回路素子に対し情報読み取りを行い振り分け先情報を取得することで、操作者がいちいち煩雑な手動設定を行わなくても自動的に該当する操作端末を出力先として設定することができる。この結果、操作者の操作負担を低減し、利便性を向上することができる。
【００２７】
第８の発明は、上記第７発明において、前記振り分け先情報取得手段は、前記情報振り分け先設定用の無線タグ回路素子から、１つの前記無線タグ情報読み取り装置を介し取得された情報を、当該１つの無線タグ情報読み取り装置に対応する１つの前記操作端末に対応づける前記振り分け先情報を取得し、前記情報振り分け手段は、その取得した振り分け先情報に基づき、前記読み取り情報記憶手段に記憶した情報又はこれに対応する情報を、前記１つの無線タグ情報読み取り装置に対応した前記１つの操作端末へ出力するように、前記出力先を設定することを特徴とする。
【００２８】
これにより、１つの無線タグ情報読み取り装置と１つの操作端末とを対応付け、ある無線タグ情報読み取り装置を介し読み取り用無線タグ回路素子から取得された情報を、当該無線タグ情報読み取り装置に対応した操作端末へと出力することができる。
【００２９】
第９の発明は、上記第８発明において、前記情報振り分け手段は、前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、その取得時における受信強度に応じて出力先を設定する
ことを特徴とする。
【００３０】
これにより、同一の読み取り用無線タグ回路素子からの情報が複数の無線タグ情報読み取り装置を介し取得された場合であっても、受信信号強度の大小に応じて、いずれの無線タグ情報読み取り装置が当該読み取り用無線タグ回路素子に対応したものである(例えば最も距離が近い、通信に適した箇所にある等)かを特定し、その特定した無線タグ情報読み取り装置に対応した操作端末を出力されるべき端末であるとみなし、出力先として設定することができる。
【００３１】
第１０の発明は、上記第８発明において、前記複数の無線タグ情報読み取り装置からの、前記情報読み取り用の無線タグ回路素子に対し複数種類の送信出力により情報の送受信を行ったときの各出力ごとの送受信結果を入力する送受信結果入力手段を有し、前記情報振り分け手段は、前記１つの無線タグ情報読み取り装置と前記１つの操作端末とを対応づける前記振り分け先情報に基づいて前記出力先を設定する際、当該出力しようとする情報が、複数の前記無線タグ情報読み取り装置を介し前記情報読み取り用の無線タグ回路素子より取得されていた場合、前記送受信結果入力手段で入力した前記各出力ごとの送受信結果に応じて出力先を設定することを特徴とする。
【００３２】
これにより、同一の読み取り用無線タグ回路素子からの情報が複数の無線タグ情報読み取り装置を介し取得された場合であっても、送受信結果入力手段で入力した各無線タグ情報読み取り装置における各出力大きさごとの送受信結果に応じて、いずれの無線タグ情報読み取り装置が当該読み取り用無線タグ回路素子に対応したものである(例えば最も距離が近い、通信に適した箇所にある等)かを特定し、その特定した無線タグ情報読み取り装置に対応した操作端末を出力されるべき端末であるとみなし、出力先として設定することができる。
【００３３】
第１１の発明は、上記第６乃至第１０発明のいずれかにおいて、情報を記憶するＩＣ回路部と情報の送受信を行うタグ側アンテナとを備えたラベル用の無線タグ回路素子を配置したタグ媒体を搬送する搬送手段と、前記ラベル用無線タグ回路素子に対し、無線通信を介し情報の送受信を行うためのラベル作成用アンテナとを有することを特徴とする。
【００３４】
搬送手段でタグ媒体を搬送し、このタグ媒体に備えられたラベル用無線タグ回路素子に対しラベル作成用アンテナにより情報送受信を行って、無線タグラベルを作成することができる。
【００３５】
上記目的を達成するために、第１２の発明は、情報を記憶するＩＣ回路部と情報の送受信を行うタグ側アンテナとを備えた無線タグ回路素子に対し無線通信を行うための読み取り用アンテナを備え、無線タグ情報管理サーバに接続された無線タグ情報読み取り装置であって、前記読み取り用アンテナを介し、情報読み取り用の前記無線タグ回路素子から情報を取得し、前記無線タグ情報管理サーバへ出力する一般情報出力モードと、前記読み取り用アンテナを介し、前記一般情報出力モードで前記無線タグ情報管理サーバへ出力した情報の当該無線タグ情報管理サーバからの情報振り分け先設定用の前記無線タグ回路素子から振り分け先情報を取得し、前記無線タグ情報管理サーバへ出力する振り分け先情報出力モードとを切り替えるモード切替手段を有することを特徴とする。
【００３６】
本願第１２発明の無線タグ情報読み取り装置においては、モード切替手段により一般情報出力モードと、振り分け先情報出力モードとを切り替えることができる。一般情報出力モードでは、読み取り用アンテナを介して情報読み取り用の無線タグ回路素子から情報を取得し、その取得した情報を無線タグ情報管理サーバへ出力する。一方、振り分け先情報出力モードでは、読み取り用アンテナを介し情報振り分け設定用の無線タグ回路素子から振り分け先情報を取得し、その取得した振り分け先情報を無線タグ情報管理サーバへ出力する。これにより、無線タグ情報管理サーバでは、一般情報出力先モードにおいて無線タグ情報読み取り装置より入力された情報の出力先を、振り分け先情報出力モードにおいて無線タグ情報読み取り装置より入力された振り分け先情報に基づき設定することが可能となる。
【００３７】
このようにして、情報読み取り用の無線タグ回路素子から無線タグ情報読み取り装置を介し無線タグ情報管理サーバで取得された情報の出力先が不定の場合であっても、無線タグ情報読み取り装置が振り分け先情報出力モードで情報振り分け設定用の無線タグ回路素子に対し情報読み取りを行い、振り分け先情報を無線タグ情報管理サーバで取得することで、自動的に出力先を設定することができる。この結果、操作者の操作負担を低減し、利便性を向上することができる。
【００３８】
第１３の発明は、上記第１２発明において、前記モード切替手段は、装置電源投入直後は前記振り分け先情報出力モードに切り替え、この振り分け先情報出力モードにおいて、１つの前記情報振り分け先設定用無線タグ回路素子からの振り分け先情報の取得及び前記無線タグ情報管理サーバへの出力が終了したら、前記一般情報出力モードに切り替えることを特徴とする。
【００３９】
これにより、電源投入直後において自動的に振り分け先情報出力モードとして情報振り分け設定用の無線タグ回路素子に対し情報読み取りを行い、振り分け先情報に基づき無線タグ情報管理サーバで自動的に出力先を設定することができる。そしてその設定が終わったら自動的に一般情報出力モードにおいて通常の読み取り用無線タグ回路素子からの情報読み取りを行うことができる。
【発明の効果】
【００４０】
本発明によれば、操作者の操作負担を低減し、利便性を向上することができる。
【発明を実施するための最良の形態】
【００４１】
以下、本発明の一実施の形態を図面を参照しつつ説明する。
【００４２】
図１は、本発明の無線タグ情報読み取りシステムの一実施形態の全体構成を表すシステム構成図である。
【００４３】
図１において、無線タグ情報読み取りシステム１は、情報を記憶するＩＣ回路部１５０とこのＩＣ回路部１５０に接続されるアンテナ１５１（タグ側アンテナ）とを備えた無線タグ回路素子Ｔo（後述の図５参照）を有する無線タグラベルＴを作成すると共に、無線タグラベルＴの無線タグ回路素子Ｔoから読み出した無線タグ情報を記憶し所定の送信先に配信するＲＩＳ（Registration Information Server）としての機能を有するタグラベル作成装置３００（無線タグ情報管理サーバ）と、パッチアンテナであるアンテナ２１０を有し、上記無線タグラベルＴの無線タグ回路素子Ｔoから無線タグ情報を読み取るための複数（本例では２台）のリーダ２００（無線タグ情報読み取り装置）と、これら複数のリーダ２００のうち対応するリーダ２００で読み取った無線タグ情報が送信され、表示部１０１及び操作部１０２を有する複数（本例では２台）のＰＣ端末１００（操作端末）と、上記タグラベル作成装置３００、複数のリーダ２００、及び複数のＰＣ端末１００を情報の送受信が可能となるように接続することでネットワークを構成する集線装置３０（配信接続手段）とを有している。
【００４４】
本実施形態では、上記無線タグ情報読み取りシステム１は社員の勤怠管理に用いられる。すなわち、上記各リーダ２００は各社員（本例では部下ａ，ｂ）のＰＣ１１０等が設けられた机Ｄにそれぞれ配置されており、各社員が有する社員証に設けられた無線タグ回路素子Ｔoと通信することにより各社員の出退勤情報（出勤時間、退勤時間等）を取得する。さらに、社員が使用する業務ファイルや各種資料等には当該ファイルや資料の内容（ファイル名、資料名等）が記憶された無線タグラベルが設けられており、各社員が机Ｄで使用する業務ファイルや資料の上記無線タグラベルと通信することにより、各社員の作業情報を取得する。このようにして読み取られた勤怠管理情報（上記出退勤情報や作業情報を含む）は、各社員の上司（本例では部下ａの上司Ａ、及び部下ｂの上司Ｂ）の上記ＰＣ端末１００に上記集線装置３０を介してそれぞれ送信されるようになっている。
【００４５】
なおこのとき、各リーダ２００のアンテナ２１０を介して行われる通信可能領域（図中領域Ｘ，Ｙで示す）は、読み取り漏れのないように各社員の机上を十分にカバーできるように設定されており、そのため複数のリーダ２００（本例で部下ａのリーダ２００と部下ｂのリーダ２００）が通信可能な重複領域Ｚが生じている。
【００４６】
上記集線装置３０としては、データが有するアドレス情報を解釈し適切なあて先のみにデータを送信することが可能なスイッチングハブ（switching hub）が用いられる。なお、これに限らずスイッチング機能を有しない通常のハブや、ネットワークから他のネットワークにデータを中継するルータ、又はサーバ等を用いてもよい。
【００４７】
上記リーダ２００のアンテナ２１０を介して読み取った無線タグ情報の送信先は、例えばリーダ２００を集線装置３０に接続した際に、送信先の設定用の無線タグラベルＴを当該リーダ２００に読み取らせることによって行われる（詳細は後述）。
【００４８】
上記ＰＣ端末１００は、上述したように表示部１０１及び操作部１０２を有しており、ユーザ（上司Ａ，Ｂ等）は表示部１０１に表示された表示画面を参照しつつ、操作部１０２を用いてタグラベル作成装置３００に対する種々の指令入力や各種情報の入力を行うことが可能となっている。
【００４９】
図２は、上記リーダ２００及びタグラベル作成装置３００の全体構成を概念的に表す全体構成図である。なお、図中に示す矢印は信号の流れの一例を示すものであり、信号の流れ方向を限定するものではない。
【００５０】
図２において、上記タグラベル作成装置３００は、上述したようにＲＩＳとしての機能及び無線タグラベル作成機能を備えている。すなわち、タグラベル作成装置３００は、所定間隔で無線タグ回路素子Ｔoが備えられたタグテープ３０３（タグ媒体）を巻回したタグテープロール３０４と、このタグテープロール３０４から繰り出されたタグテープ３０３のうち各無線タグ回路素子Ｔoに対応した領域に所定の印字を行う印字ヘッド３０５と、タグテープ３０３を搬送する搬送ローラ３０８（搬送手段）と、無線タグ回路素子Ｔoとの間で無線通信により情報の送受信を行い無線タグ情報の書き込みを行うアンテナ３０６（ラベル作成用アンテナ）及び高周波回路３０１と、タグテープ３０３への印字及び無線タグ回路素子Ｔoへの情報書き込みが終了したタグテープ３０３を所定の長さに切断して前述の無線タグラベルＴとするカッタ３０７と、上記複数のＰＣ端末１００と集線装置３０を介して行われる通信の制御を行うインターフェース制御部３０９と、リーダ２００を介して読み取られた無線タグ情報の送信先情報等を記憶するための不揮発性の記憶部３１０（読み取り情報記憶手段）と、以上の高周波回路３０１、印字ヘッド３０５、カッタ３０７、搬送ローラ３０８、インターフェース制御部３０９、及び記憶部３１０等の制御を行う制御回路３１１とを有する。
【００５１】
一方、上記リーダ２００は、上記ファイルや資料等に設けられた無線タグラベルＴにそれぞれ備えられる無線タグ回路素子Ｔoのアンテナ１５１との間で無線通信により信号の授受を行う上記アンテナ２１０（読み取り用アンテナ）と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ２００全体の動作を制御する制御回路２０２と、無線タグ回路素子Ｔoから読み出した無線タグ情報等を記憶可能な記憶部２０３と、上記タグラベル作成装置３００やＰＣ１００との間で集線装置３０を介して行われる通信の制御を行うインターフェース制御部２０４とを有する。
【００５２】
図３は、上記リーダ２００の制御系の構成を表す機能ブロック図である。なお、ここでは図示していないが、タグラベル作成装置３００の高周波回路３０１も以下説明する高周波回路２０１と同等の構成である。また、図中に示す矢印は信号の流れの一例を示すものであり、信号の流れ方向を限定するものではない。
【００５３】
図３において、高周波回路２０１は、アンテナ２１０を介し無線タグ回路素子Ｔoに対して信号を送信する送信部２１２と、アンテナ２１０により受信された無線タグ回路素子Ｔoからの反射波を入力する受信部２１３と、送受分離器２１４とから構成される。
【００５４】
送信部２１２は、無線タグ回路素子ＴoのＩＣ回路部１５０の無線タグ情報を読み取るための搬送波を発生させる水晶振動子２３０、制御回路２０２の制御により所定の周波数の信号を発生させるＰＬＬ（Phase  Locked  Loop）２３１、及びＶＣＯ（Voltage  Controlled  Oscillator）２３２と、上記制御回路２０２から供給される信号に基づいて上記発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する送信アンプ２１７とを備えている。そして、上記発生される搬送波は、好適にはＵＨＦ帯、マイクロ波帯、あるいは短波帯の周波数を用いており、上記送信アンプ２１７の出力は、送受分離器２１４を介しアンテナ２１０に伝達されて、無線タグ回路素子ＴoのＩＣ回路部１５０に供給される。なお、無線タグ情報は上記のように変調した信号に限られず、単なる搬送波のみの場合もある。
【００５５】
受信部２１３は、アンテナ２１０で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００５６】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力される。これにより、リーダ２００では、無線タグ回路素子Ｔoとの通信時における当該無線タグ回路素子Ｔoからの信号強度を検出することが可能となっている。
【００５７】
また、制御回路２０２は、上記インターフェース制御部２０４の通信制御によりタグラベル作成装置３００及び複数のＰＣ端末１００と情報の送受信を行うと共に、上記記憶部２０３に対する各種情報の書き込み、読み出しを行う。
【００５８】
図４は、上記タグラベル作成装置３００の制御回路３１１の詳細機能を表す機能ブロック図である。
【００５９】
図４において、制御回路３１１は、いわゆるマイクロコンピュータであり、中央演算処理装置であるＣＰＵ３１１Ａ、ＲＯＭ３１１Ｂ、ＲＡＭ３１１Ｃ、高周波回路３０１との信号送受を行う回路制御部３１１Ｄ等から構成され、ＲＡＭ３１１Ｃの一時記憶機能を利用しつつＲＯＭ３１１Ｂに予め記憶されたプログラムに従って信号処理を行うようになっている。
【００６０】
図５は、タグテープ３０３及び無線タグラベルＴに備えられた上記無線タグ回路素子Ｔoの機能的構成の一例を表すブロック図である。
【００６１】
図５において、無線タグ回路素子Ｔoは、リーダ２００のアンテナ２１０（またはタグラベル作成装置３００のアンテナ３０６）と非接触で信号の送受信を行う上記アンテナ１５１と、このアンテナ１５１に接続された上記ＩＣ回路部１５０とをそれぞれ有している。なお、図中に示す矢印は信号の流れの一例を示すものであり、信号の流れ方向を限定するものではない。
【００６２】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して後述する制御部１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４及び変復調部１５６等を介して上記無線タグ回路素子Ｔoの作動を制御するための制御部１５７とを備えている。
【００６３】
変復調部１５６は、アンテナ１５１により受信された上記リーダ２００のアンテナ２１０（またはタグラベル作成装置３００のアンテナ３０６）からの通信信号の復調を行うと共に、上記制御部１５７からの返信信号に基づき、アンテナ１５１が受信した搬送波を変調し、アンテナ１５１より反射波として再送信する。制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６４】
クロック抽出部１５４は受信した信号からクロック成分を抽出して制御部１５７にクロックを抽出するものであり、受信した信号のクロック成分の周波数に対応したクロックを制御部１５７に供給する。
【００６５】
上記構成の無線タグ情報読み取りシステム１においては、各社員の勤怠管理情報が各社員の机上に設けられたリーダ２００により読み取られ、各社員の上司のＰＣ端末１００に集線装置３０を介してそれぞれ送信される。このとき、前述したように各リーダ２００のアンテナ２１０を介して行われる通信可能領域には重複領域Ｚが存在することから、社員やファイル、資料の位置によってはそれらの無線タグ情報が複数のリーダ２００により読み取られる場合がある。この場合、各リーダ２００での受信信号強度を比較して信号強度が大きい方を適当なリーダであると見なし、当該リーダに対応する送信先に無線タグ情報が送信される。
【００６６】
なお、各リーダ２００に対し読み取った無線タグ情報の送信先の設定を行う際には、当該設定を行うリーダ２００を集線装置３０に接続した上で、ユーザ（例えば上司Ａ，Ｂ等）はまずＰＣ端末１００の操作部１０２を用いて必要な情報を入力し、タグラベル作成装置３００で送信先情報が書き込まれた設定用の無線タグラベルＴ（以下、適宜「設定タグＴ」と記載）を作成する。次に、その作成した無線タグラベルＴを情報送信先の設定対象であるリーダ２００（この例では部下ａ，ｂのリーダ２００）に近づけて無線タグ情報を読み取らせることにより、タグラベル作成装置３００においてそのリーダ２００の情報送信先が設定され、リーダ２００と送信先情報とが対応づけられて記憶される。これにより、その後情報の送信先が設定されたリーダ２００で上記社員証やファイル、資料等に添付された情報読み取り用の無線タグラベルＴ（以下、適宜「一般タグＴ」と記載）から読み取られた無線タグ情報は、設定された送信先に送信される。
【００６７】
図６は、上記設定用の無線タグラベルＴを作成する際にタグラベル作成装置３００の制御回路３１１によって実行される制御手順を表すフローチャートである。
【００６８】
図６において、まずステップＳ１０５において、設定タグＴの作成指示の入力があったか否かを判定する。この判定は、ユーザ（例えば上司Ａ，Ｂ等）がＰＣ端末１００の操作部１０２を用いて設定タグの作成指示入力を行うことにより、その指令信号が入力されたか否かを判定することにより行う。作成開始指示入力があるまで本ステップを繰り返し、入力があると判定が満たされ次のステップＳ１１０に移る。
【００６９】
ステップＳ１０７では、リーダ２００により読み取られた無線タグ情報の送信先を表す送信先情報の入力を行う。この入力は、例えばＰＣ端末１００の表示部１０１に送信先情報（例えばネットワークアドレス）の入力画面を表示させ、この表示に従いユーザが操作部１０２を用いて入力した送信先情報を集線装置３０を介して受信することにより行う。本実施形態では、情報送信先として、設定を行うリーダ２００と対応して配置されたＰＣ端末１００（すなわち部下ａのリーダ２００の送信先は上司ＡのＰＣ端末１００、部下ｂのリーダ２００の送信先は上司ＢのＰＣ端末１００）が設定されるようになっている。
【００７０】
なお、ここではユーザが送信先情報を入力するようにしたが、これに限られない。例えば、ＰＣ端末１００が集線装置３０を介して接続されることにより、タグラベル作成装置３００ではＰＣ端末１００のＩＰアドレス（Internet Protocol Address）を取得可能であるため、当該取得したＩＰアドレスを用いて自動的に情報送信先を設定するようにしてもよい。この場合、ユーザがＰＣ端末１００を介して送信先情報を入力する手間が省けるので、ユーザの操作負担をさらに低減し、利便性をさらに向上することができる。
【００７１】
次のステップＳ１１０では、書き込み対象となる無線タグ回路素子Ｔoを有するタグラベルＴがリーダ２００の情報送信先設定用であることを表す設定タグフラグを作成し、これと上記入力した送信先情報とを合わせて無線タグ回路素子Ｔoに書き込むためのタグ書き込み情報を作成する。
【００７２】
次のステップＳ１１３では、設定タグＴのラベル表面に印字する印字情報の入力を行う。この印字情報は、情報送信先の設定対象であるリーダを識別可能な識別情報であり、例えばリーダの識別番号やそのリーダに対応する社員の名前等で構成されている。なお、この印字情報の入力は、ＰＣ端末１００の表示部１０１に印字情報の入力画面を表示させ、この表示に従いユーザが操作部１０２を用いて入力した印字情報を通信回線ＮＷを介して受信することにより行う。
【００７３】
なお、上記ではユーザが印字情報を入力するようにしたが、これに限られず、上記ステップＳ１１０で設定したタグ書き込み情報の内容に基づいて印字情報を自動的に設定するようにしてもよい。
【００７４】
次のステップＳ１１５において、例えば搬送ローラ３０８に制御信号を出力し、カートリッジ用モータ（図示せず）の駆動力によってタグテープロール３０４からタグテープ３０３を繰り出させる。
【００７５】
その後、ステップＳ１２０に移り、タグテープ３０３が所定値Ｃ（例えば、先行する無線タグ回路素子Ｔoに対する無線タグ情報書き込みが終了し、次の無線タグ回路素子Ｔoがアンテナ３０６にほぼ対向する位置に到達するだけの搬送距離）だけ搬送されたかどうかを判定する。この搬送距離判定は、例えばタグテープ３０３に設けたマーキングを公知のテープセンサ(不図示)で検出することにより行えば足りる。判定が満たされたら、ステップＳ２００に移る。
【００７６】
ステップＳ２００ではタグ情報書き込み・印字処理を行い、無線タグ情報を含む送信信号をタグテープ３０３上の無線タグ回路素子Ｔoに送信して書き込みを行うとともに、印字ヘッド３０５によりタグテープ３０３の対応する印字領域（図示せず）に印字を行う（詳細手順は後述の図７参照）。このステップＳ２００が終了したらステップＳ１３５に移る。
【００７７】
ステップＳ１３５では、タグテープ３０３のうちこの時点で処理対象としている無線タグ回路素子Ｔoに対応する印字領域への印字がすべて完了しているかどうかを確認した後、ステップＳ１４０へ移る。
【００７８】
ステップＳ１４０では、タグテープ３０３がさらに所定量（例えば、対象とする無線タグ回路素子Ｔo及び印字領域のすべてがカッタ３０７を所定の長さ(余白量)分越えるだけの搬送距離）だけ搬送されたかどうかを判断する。このときの搬送距離判定も例えば前述のステップＳ１２０と同様にすれば足りる。判定が満たされたら、ステップＳ１４５に移る。
【００７９】
ステップＳ１４５では、上記搬送ローラ３０８に制御信号を出力して上記カートリッジ用モータの駆動を停止して、タグテープロール３０４からのタグテープ３０３の繰り出し及び搬送を停止させる。
【００８０】
その後、ステップＳ１５０で、例えば図示しないソレノイド駆動回路に制御信号を出力してカッター用ソレノイド（図示せず）を駆動し、カッタ３０７によってタグテープ３０３の切断を行う。前述したように、この時点で、例えば処理対象の無線タグ回路素子Ｔo及び領域Ｓを含むタグテープ３０３のすべてがカッタ３０７を十分に越えており、このカッタ３０７の切断によって、無線タグ回路素子Ｔoに無線タグ情報が書き込まれかつこれに対応する所定の印字が行われたラベル状の無線タグラベルＴが生成される。
【００８１】
その後、ステップＳ１５５に移り、上記ステップＳ１５０でラベル状に生成された無線タグラベルＴがタグラベル作成装置３００の装置外へと排出される（なお、別途設けた排出用ローラを駆動制御してもよいし、操作者が手で抜き取るようにしてもよい）。以上により、本フローを終了する。
【００８２】
以上の制御により、送信先設定対象であるリーダ２００に対応する送信先情報が書き込まれた設定用の無線タグラベルＴがタグラベル作成装置３００で作成される。
【００８３】
なお、上記フローは本発明を上記フローに示す手順に限定するものではなく、例えば上記ステップＳ１０７及びステップＳ１１０とステップＳ１１３とを入れ替える等、発明の趣旨及び技術的思想を逸脱しない範囲内で手順を変更してもよい。
【００８４】
図７は、上述のステップＳ２００の詳細手順を表すフローチャートである。
【００８５】
この図７において、まず、ステップＳ２３５において、例えば図示しない印刷駆動回路に制御信号を出力し、上記印字ヘッド３０５を通電して、タグテープ３０３のうち処理対象となる無線タグ回路素子Ｔoに対応する上記印字領域に、前述のステップＳ１１３で入力した印字情報の印刷を開始させる。
【００８６】
そして、ステップＳ２４０に移り、所望のデータ（ここでは上記ステップＳ１１０で作成したタグ書き込み情報）を無線タグ回路素子Ｔoのメモリ部１５５に書き込む「Program」信号を生成して高周波回路３０１を介して情報書き込み対象の無線タグ回路素子Ｔoに送信し、そのメモリ部１５５に情報が書き込まれる。なおこのとき、上記「Program」信号には、リーダ２００を介して読み取られた無線タグ情報の送信先を表す送信先情報が含まれ、さらに上述したように当該タグラベルＴがリーダ２００の情報送信先設定用であることを表す設定タグフラグも含まれている。
【００８７】
その後、ステップＳ２４５において、通信結果の可否確認のための「Verify」信号を生成して高周波回路３０１を介して情報書き込み対象の無線タグ回路素子Ｔoに送信され、返信を促す。
【００８８】
その後ステップＳ２５０において、上記「Verify」信号に対応して書き込み対象の無線タグ回路素子Ｔoから送信されたリプライ信号をアンテナ３０６を介して受信し、高周波回路３０１を介し取り込む。
【００８９】
次に、ステップＳ２５５において、リプライ信号に基づき、当該無線タグ回路素子Ｔoのメモリ部１５５内に記憶された情報を確認し、前述の送信した所定の情報がメモリ部１５５に正常に記憶されたか否かを判定する。判定が満たされた場合にはこのルーチンを終了する。これにより、書き込み対象とする無線タグ回路素子Ｔoへの情報書き込みが完了する。判定が満たされない場合はステップＳ２４０に戻って同様の手順を繰り返す。
【００９０】
以上のルーチンにより、タグテープ３０３上の書き込み対象の無線タグ回路素子Ｔoに対して対応する情報を書き込むとともに、タグテープ３０３上の対応する印字領域に対し上記所定の印字を印刷することができる。
【００９１】
なお、上記フローは本発明を上記フローに示す手順に限定するものではなく、例えば上記ステップＳ２３５をステップＳ２５５の後の手順にする等、発明の趣旨及び技術的思想を逸脱しない範囲内で手順を変更してもよい。
【００９２】
図８は、上記のようにして作成された無線タグラベルＴに備えられた上記無線タグ回路素子ＴoのＩＣ回路部１５０の上記メモリ部１５５に記憶されたデータ内容を概念的に表す図である。
【００９３】
この図８において、無線タグラベルＴの無線タグ回路素子Ｔoは、タグ識別情報としてのタグＩＤと、リーダ２００の情報送信先設定用のタグであることを表す設定タグフラグと、リーダ２００を介して読み取られた無線タグ情報の送信先を表す送信先情報（例えばネットワークアドレス）とを、メモリ部１５５に記憶保持している。
【００９４】
図９は、上記リーダ２００による無線タグ情報の読み取りの際に、リーダ２００の制御回路２０２によって実行される制御手順を表すフローチャートである。なお、以下のフローは、それぞれのリーダ２００において独立して実行されるようになっているが、例えば複数のリーダ２００においてタイミングを合わせて一定周期ごとに行うようにしてもよい。
【００９５】
この図９において、まずステップＳ５１０では、無線タグラベルＴの無線タグ回路素子ＴoのＩＣ回路部１５０にそれぞれ記憶された情報を読み取るための問い合わせ信号を生成し、高周波回路２０１及びアンテナ２１０を介し、通信可能領域内に存在する前述した社員証やファイル、資料等に備えられる無線タグ回路素子Ｔoに送信し、返信を促す。
【００９６】
その後、ステップＳ５２０に移り、上記問い合わせ信号に対応し無線タグラベルＴの無線タグ回路素子Ｔoから送信（返信）されたリプライ信号がアンテナ２１０及び高周波回路２０１を介し受信されたかどうかを判定する。いずれの無線タグラベルＴからもリプライ信号が受信されていなければ判定が満たされずにステップＳ５１０に戻り、再び問い合わせ信号の送信を繰り返す。一方、無線タグラベルＴからリプライ信号を受信している場合には、判定が満たされて次のステップＳ５３０に移る。
【００９７】
ステップＳ５３０では、上記受信したリプライ信号に基づき、当該リプライ信号を送信（返信）した無線タグラベルＴの無線タグ情報を読み取り取得する。この無線タグ情報には、当該リプライ信号を送信（返信）した無線タグラベルＴが設定タグである場合には、前述したようにリーダ２００のアンテナ２１０を介して読み取られた無線タグ情報の送信先を表す送信先情報と、無線タグラベルＴがリーダ２００の情報送信先設定用であることを表す設定タグフラグが含まれる。一方、リプライ信号を送信（返信）した無線タグラベルＴが設定タグでなく一般タグである場合には、当該情報（データそのものでもよいし、当該データに関連付けられたタグＩＤ等の識別情報でもよい）が含まれる。なお、上記無線タグ情報は記憶部２０３に一時的に記憶される。
【００９８】
次のステップＳ５４０では、上記受信したリプライ信号の強度を示す信号「ＲＳＳＩ」を上記ＲＳＳＩ回路２２６から入力する。
【００９９】
次のステップＳ５５０では、上記ステップＳ５３０で取得し記憶させた無線タグ情報を、上記ステップＳ５４０で入力した信号強度情報とともに、インターフェース制御部２０４及び集線装置３０を介しタグラベル作成装置３００に送信する。これにより本フローを終了する。
【０１００】
なお、上記フローは本発明を上記フローに示す手順に限定するものではなく、例えば上記ステップＳ５３０とステップＳ５４０とを入れ替える等、発明の趣旨及び技術的思想を逸脱しない範囲内で手順を変更してもよい。
【０１０１】
図１０は、上記リーダ２００より無線タグ情報を受信した際にタグラベル作成装置３００の制御回路３１１によって実行される制御手順を表すフローチャートである。
【０１０２】
まず、ステップＳ３１０では、集線装置３０及びインターフェース制御部３０９を介してリーダ２００より出力された信号を受信したか否かを判定する。受信した場合には、判定が満たされて次のステップＳ３１５に移る。
【０１０３】
ステップＳ３１５では、上記受信した信号に基づき、リーダ２００で読み取った無線タグラベルＴの無線タグ情報及び受信信号強度情報を取得する。さらに、当該信号を送信したリーダ２００を特定可能な識別情報（ＩＰアドレス等）を取得する。これらの取得した情報は、上記記憶部３１０に一時的に記憶される。なおこのとき、複数のリーダ２００から信号を受信した場合には、それぞれのリーダに対応させて無線タグ情報及び受信信号強度情報を取得する。
【０１０４】
次のステップＳ３２０では、上記ステップＳ３１０において同時に複数のリーダ２００から上記信号を受信したか否かを判定する。なお、ここでの同時とは完全な同時のみを指すものではなく、受信時間の差が予め設定された時間範囲内に含まれる場合を含むものである。同時に複数のリーダ２００から上記信号を受信した場合には、判定が満たされてステップＳ４００に移る。
【０１０５】
ステップＳ４００では、受信信号強度を比較して情報の送信先を特定する情報振り分け処理を行い（詳細は後述の図１１参照）、その後本フローを終了する。
【０１０６】
一方、上記ステップＳ３２０において、同時に複数のリーダ２００から上記信号を受信していない場合には、判定が満たされずに次のステップＳ３２５に移る。
【０１０７】
ステップＳ３２５では、上記ステップＳ３１５で取得した無線タグ情報に基づき、情報読み取りを行った無線タグラベルＴが設定タグであるか否かを判定する。すなわち、取得した無線タグ情報中に上記設定タグフラグが含まれる場合には、設定タグと見なして判定が満たされ、次のステップＳ３３０に移る。
【０１０８】
ステップＳ３３０では、上記ステップＳ３１５で無線タグラベルＴから読み出し記憶した無線タグ情報から送信先情報を取得する。
【０１０９】
次のステップＳ３３５では、上記ステップＳ３３０で取得した送信先情報と、上記無線タグラベルＴの無線タグ回路素子Ｔoから情報読み取りを行ったリーダ２００の識別情報とを対応づけ、これら対応づけた情報を上記記憶部３１０（または制御回路３１１が有する前記ＲＡＭ３１１Ｃでもよい）に記憶させる。このとき、以前に当該情報が記憶されている場合には、情報を更新して記憶させる。そして本フローを終了する。
【０１１０】
なお、上記ステップＳ３２５において、取得した無線タグ情報中に上記設定タグフラグが含まれない場合には、上記社員証やファイル、資料等に添付された情報読み取り用の一般タグと見なし、判定が満たされずにステップＳ３４５に移る。
【０１１１】
ステップＳ３４５では、上記ステップＳ３３５で送信先情報とリーダ識別情報とが対応づけられて記憶部３１０に記憶されたか否かを判定する。記憶されていない場合には、判定が満たされずにステップＳ３６０に移り、集線装置３０を介して（例えば全台の）ＰＣ端末１００に制御信号を出力し、表示部１０１にエラー表示（例えば「送信先設定が行われていません！」等）を行わせる。なお、当該エラーの報知は表示に限られず音声で行ってもよい。また、ＰＣ端末１００ではなく、タグラベル作成装置３００の図示しないエラー報知手段により報知を行うようにしてもよい（例えばエラーランプの点灯等）。
【０１１２】
一方、送信先情報とリーダ識別情報とが対応づけられて記憶部３１０に記憶されており、上記ステップＳ３４５の判定が満たされた場合には、判定が満たされてステップＳ３５０に移る。
【０１１３】
次のステップＳ３５０では、記憶部３１０に記憶された送信先情報とリーダ識別情報との情報に基づき、情報読み取りを行ったリーダ２００に対応する送信先情報を抽出して読み出し、送信先の設定を行う。
【０１１４】
次のステップＳ３６０では、一般タグＴの無線タグ回路素子Ｔoから読み出した無線タグ情報を、上記ステップＳ３５０で設定した送信先（本例では部下ａのリーダ２００の送信先は上司ＡのＰＣ端末１００、部下ｂのリーダ２００の送信先は上司ＢのＰＣ端末１００）に送信する。その結果、送信先のＰＣ端末１００においては当該受信された情報の保管、表示等の適宜の処理が行われる。そして、本フローを終了する。
【０１１５】
以上の制御により、設定タグＴを用いて一旦リーダ２００の情報送信先の設定を行うと、その設定が記憶され、当該設定済みのリーダ２００でその後一般タグＴの情報読み取りを行った際には、新たに情報送信先の設定を行わなくとも既に設定された送信先に情報が送信される。なお、ここでは新たに設定タグＴから送信先情報を取得する度、その新しい送信先情報に置き換えられる（設定が更新される）ようにしたが、例えばリーダ２００に対し一旦情報送信先の設定を行うと、次に設定用タグＴを読み込ませても送信先の更新はしないようにしてもよい。
【０１１６】
なお、上記フローにおけるステップＳ３３０の手順は、特許請求の範囲各項記載の情報振り分け先設定用の無線タグ回路素子から振り分け先情報を取得するための振り分け先情報取得手段を構成し、ステップＳ３５５の手順は、振り分け先情報に基づき、読み取り情報記憶手段に記憶した情報又はこれに対応する情報を、配信接続手段により接続された複数の操作端末のうち対応する操作端末へ振り分けて出力する情報振り分け手段を構成する。
【０１１７】
なお、上記フローは本発明を上記フローに示す手順に限定するものではなく、発明の趣旨及び技術的思想を逸脱しない範囲内で手順を変更してもよい。
【０１１８】
図１１は上記ステップＳ４００の詳細手順を表すフローチャートである。
【０１１９】
この図１１において、ますステップＳ４１０では、先のステップＳ３１５で取得し記憶した複数リーダからの無線タグ情報に基づき、異なるリーダ２００で同一の無線タグラベルＴから無線タグ情報が重複して読み取られたか否かを判定する。重複して無線タグ情報の読み取りが行われていない場合には、判定が満たされずに後述するステップＳ４３０に移る。一方、重複して無線タグ情報の読み取りが行われている場合には、判定が満たされて次のステップＳ４２０に移る。
【０１２０】
ステップＳ４２０では、各リーダ２００で読み取られた同一の無線タグ情報につき、先のステップＳ３１５で取得した信号強度情報を比較する。そして、強度が大きい方のリーダ２００を特定する。
【０１２１】
次のステップＳ４３０では、一般タグＴの無線タグ回路素子Ｔoから読み出した無線タグ情報を、上記ステップＳ４２０で特定したリーダに対応する送信先に送信する。その結果、送信先のＰＣ端末１００においては当該受信された情報の保管、表示等の適宜の処理が行われる。そして、本ルーチンを終了する。
【０１２２】
上記フローにおけるステップＳ４２０の手順は、特許請求の範囲各項記載の出力しようとする情報が、複数の無線タグ情報読み取り装置を介し情報読み取り用の無線タグ回路素子より取得されていた場合、その取得時における受信信号強度に応じて出力先を設定する情報振り分け手段を構成する。
【０１２３】
なお、上記フローは本発明を上記フローに示す手順に限定するものではなく、発明の趣旨及び技術的思想を逸脱しない範囲内で手順を変更してもよい。
【０１２４】
図１２は、以上説明した制御により行われる情報の振り分けの一例を説明するための図である。
【０１２５】
この図１２において、部下ａの机上に設けられたリーダ２００により、適宜のファイル、資料等に添付された無線タグラベルＴ１，Ｔ２，Ｔ３，Ｔ４が読み取られている。それぞれの無線タグラベルからのリプライ信号の信号強度は１０，８，９，２（無線タグラベルＴ１の信号強度を１０とした場合の相対値である）となっている。一方、部下ｂの机上に設けられたリーダ２００により、適宜のファイル、資料等に添付された無線タグラベルＴ４，Ｔ５，Ｔ６が読み取られている。それぞれの無線タグラベルからのリプライ信号の信号強度は５，８，７（無線タグラベルＴ１の信号強度を１０とした場合の相対値である）となっている。ここでは、無線タグラベルＴ４が前述した重複領域Ｚ内に存在し、部下ａ，ｂの両方のリーダ２００により重複して情報の読み取りが行われている。
【０１２６】
このとき、前述した図１１に示す情報振り分け処理により、無線タグラベルＴ４の信号強度が比較され、強度が大きい方のリーダ２００が特定される。すなわち、ここでは無線タグラベルＴ４の情報は信号強度が大きい方である部下ｂのリーダ２００で読み取られたものと見なされる。その結果、無線タグラベルＴ１，Ｔ２，Ｔ３の無線タグ情報は部下ａのリーダ２００の送信先である上司ＡのＰＣ端末１００に送信され、無線タグラベルＴ４，Ｔ５，Ｔ６の無線タグ情報は部下ｂのリーダ２００の送信先である上司ＢのＰＣ端末１００に送信される。
【０１２７】
以上において、設定用の無線タグラベルＴの無線タグ回路素子Ｔoに書き込まれる送信先情報が特許請求の範囲各項記載の振り分け先情報に相当する。
【０１２８】
以上説明した本実施形態の無線タグ情報読み取りシステム１においては、ＰＣ端末１００に対応して配置されたリーダ２００のアンテナ２１０を介して情報読み取り用の無線タグ回路素子Ｔoから無線タグ情報が取得され、その取得された情報をタグラベル作成装置３００の記憶部３１０で記憶する。そして、送信先情報に基づき、タグラベル作成装置３００において送信先を複数の上記ＰＣ端末１００のうち対応するものへと設定することにより、上記記憶部３１０に記憶された情報はその設定されたＰＣ端末１００へと出力される。
【０１２９】
このようにして、複数のＰＣ端末１００及び複数のリーダ２００が集線装置３０を介しタグラベル作成装置３００に接続され、情報読み取り用の無線タグ回路素子Ｔoから取得された情報のタグラベル作成装置３００からの送信先が複数のＰＣ端末１００のうちどれであるかが不定の場合であっても、ユーザがいちいち煩雑な手動設定を行わなくても自動的に対応するＰＣ端末１００を出力先として設定することができる。この結果、ユーザの操作負担を低減し、利便性を向上することができる。
【０１３０】
また、本実施形態では特に、無線タグラベルＴから読み取った無線タグ情報の送信先を設定する際、当該情報が複数のリーダ２００を介し読み取られていた場合、その取得時における受信信号強度に応じて出力先を設定する。これにより、読み取り対象である無線タグラベルＴが前述した重複領域Ｚに存在し、当該無線タグラベルＴの無線タグ情報が複数のリーダ２００を介し取得された場合であっても、受信信号強度の大小に応じて、いずれのリーダ２００が当該無線タグ情報に対応したものである(例えば最も距離が近い、通信に適した箇所にある等)かを特定し、その特定したリーダ２００に対応したＰＣ端末１００を送信されるべき端末であるとみなし、送信先として設定することができる。したがって、情報の誤配信を防止できる。
【０１３１】
なお、本発明は、上記実施形態に限られるものではなく、その趣旨及び技術的思想を逸脱しない範囲内で種々の変形が可能である。以下、そのような変形例を順を追って説明する。
【０１３２】
（１）リーダで複数種類の送信出力により情報読み取りを行う場合
上記実施形態では、リーダ２００による無線タグ情報の読み取りの際の無線タグラベルＴからの受信信号強度を比較することにより、信号強度が大きい方のリーダに対応する送信先に情報の振り分けを行うようにしたが、これに限られない。例えば、リーダで複数種類の送信出力により情報読み取りを行い、その受信結果に基づきリーダを特定して当該リーダに対応する送信先に情報の振り分けを行うようにしてもよい。
【０１３３】
図１３は、本変形例のリーダ２００の制御回路２０２’（図示せず）によって実行される制御手順を表すフローチャートであり、前述の図９に対応する図である。この図１３において、図９と同様の手順には同符号を付し説明を省略する。なお、以下のフローは、それぞれのリーダ２００において独立して実行されるようになっているが、例えば複数のリーダ２００においてタイミングを合わせて一定周期ごとに行うようにしてもよい。
【０１３４】
この図１３において、まずステップＳ５０５では、前述した高周波回路２０１の送信部２１２の送信アンプ２１７に上記「ＴＸ＿ＰＷＲ」信号を出力し、アンテナ２１０を介して無線タグラベルＴに対し出力される問い合わせ信号の送信出力が予め定められた大きな出力値となるように設定する。
【０１３５】
次のステップＳ５１０〜ステップＳ５３０は前述の図９と同様であり、問い合わせ信号を通信可能領域内に存在する前述した社員証やファイル、資料等に備えられる無線タグ回路素子Ｔoに上記ステップＳ５０５で設定した送信出力で送信し、返信されたリプライ信号に基づき、当該リプライ信号を送信（返信）した無線タグラベルＴの無線タグ情報を読み取り取得する。なお、この無線タグ情報は記憶部２０３に一時的に記憶される。
【０１３６】
次のステップＳ５３５では、上記高周波回路２０１の送信部２１２の送信アンプ２１７に上記「ＴＸ＿ＰＷＲ」信号を出力し、アンテナ２１０を介して無線タグラベルＴに対し出力される問い合わせ信号の送信出力が予め定められた小さな出力値となるように設定する。
【０１３７】
次のステップＳ５４０〜ステップＳ５４７は上記ステップＳ５１０〜ステップＳ５３０と同様であり、問い合わせ信号を通信可能領域内に存在する前述した社員証やファイル、資料等に備えられる無線タグ回路素子Ｔoに上記ステップＳ５３５で設定した送信出力で送信し、返信されたリプライ信号に基づき、当該リプライ信号を送信（返信）した無線タグラベルＴの無線タグ情報を読み取り取得する。なお、この無線タグ情報は記憶部２０３に一時的に記憶される。
【０１３８】
次のステップＳ５５０では、上記ステップＳ５３０及びステップＳ５４７で取得し記憶させた無線タグ情報を、インターフェース制御部２０４及び集線装置３０を介しタグラベル作成装置３００に送信する。これにより本フローを終了する。
【０１３９】
なお、上記フローは本発明を上記フローに示す手順に限定するものではなく、例えば上記ステップＳ５０５〜ステップＳ５３０とステップＳ５３５〜ステップＳ５４７とを入れ替える等、発明の趣旨及び技術的思想を逸脱しない範囲内で手順を変更してもよい。
【０１４０】
図１４は、本変形例において上記リーダ２００より無線タグ情報を受信した際にタグラベル作成装置３００の制御回路３１１’（図示せず）によって実行される制御手順を表すフローチャートであり、前述の図１０に対応する図である。この図１４において図１０と同様の手順には同符号を付し説明を省略する。
【０１４１】
この図１４において、まずステップＳ３１０において、リーダ２００より出力された信号を受信した場合には、判定が満たされて次のステップＳ３１５Ａに移り、上記受信した信号に基づき、リーダ２００で読み取った無線タグラベルＴの無線タグ情報（送信出力大・小の両方の場合を含む）を取得する。また、当該信号を送信したリーダ２００を特定可能な識別情報（ＩＰアドレス等）を取得する。これらの取得した情報は、上記記憶部３１０に一時的に記憶される。なおこのとき、複数のリーダ２００から信号を受信した場合には、それぞれのリーダに対応させて無線タグ情報を取得する。
【０１４２】
次のステップＳ３２０では、上記ステップＳ３１０において同時に複数のリーダ２００から上記信号を受信したか否かを判定し、同時に複数のリーダ２００から上記信号を受信した場合には、判定が満たされてステップＳ４００Ａに移る。
【０１４３】
ステップＳ４００Ａでは、複数のリーダ２００において送信出力が大・小の値に設定された場合の両方の受信結果に基づき、情報の送信先を特定する情報振り分け処理を行い（詳細は後述の図１５参照）、その後本フローを終了する。
【０１４４】
この他のステップＳ３２５〜ステップＳ３６０の手順は前述の図１０と同様であるので説明を省略する。
【０１４５】
上記フローにおけるステップＳ３１５Ａの手順は、特許請求の範囲各項記載の複数の無線タグ情報読み取り装置からの、情報読み取り用の無線タグ回路素子に対し複数種類の送信出力により情報の送受信を行ったときの各出力ごとの送受信結果を入力する送受信結果入力手段を構成する。
【０１４６】
なお、上記フローは本発明を上記フローに示す手順に限定するものではなく、発明の趣旨及び技術的思想を逸脱しない範囲内で手順を変更してもよい。
【０１４７】
図１５は上記ステップＳ４００Ａの詳細手順を表すフローチャートであり、前述の図１１に対応する図である。この図１５において、図１１と同様の手順には同符号を付し説明を省略する。
【０１４８】
この図１５において、ますステップＳ４１０Ａでは、複数リーダから受信した無線タグ情報に基づき、異なるリーダ２００で同一の無線タグラベルＴから無線タグ情報が重複して読み取られたか否かを判定する。なお、ここでは送信出力が大きい値に設定された場合の受信結果に基づき判定する。重複して無線タグ情報の読み取りが行われていない場合には、判定が満たされずに後述するステップＳ４３０に移る。一方、重複して無線タグ情報の読み取りが行われている場合には、判定が満たされて次のステップＳ４２０Ａに移る。
【０１４９】
ステップＳ４２０Ａでは、上記重複して読み取られた無線タグ情報につき、各リーダ２００において送信出力が大・小の値に設定された場合の両方の受信結果に基づき、リーダ２００を特定する。具体的には、送信出力大と送信出力小の場合で受信結果が異ならないリーダ２００を特定する。
【０１５０】
次のステップＳ４３０では、一般タグＴの無線タグ回路素子Ｔoから読み出した無線タグ情報を、上記ステップＳ４２０で特定したリーダに対応する送信先に送信する。その結果、送信先のＰＣ端末１００においては当該受信された情報の保管、表示等の適宜の処理が行われる。そして、本ルーチンを終了する。
【０１５１】
上記フローにおけるステップＳ４２０Ａの手順は、特許請求の範囲各項記載の出力しようとする情報が、複数の無線タグ情報読み取り装置を介し情報読み取り用の無線タグ回路素子より取得されていた場合、無線タグ情報読み取り装置より入力された各出力ごとの送受信結果に応じて出力先を設定する情報振り分け手段を構成する。
【０１５２】
なお、上記フローは本発明を上記フローに示す手順に限定するものではなく、発明の趣旨及び技術的思想を逸脱しない範囲内で手順を変更してもよい。
【０１５３】
図１６は、以上説明した制御により行われる本変形例の情報の振り分けの一例を説明するための図である。
【０１５４】
この図１６において、部下ａの机上に設けられたリーダ２００により、送信出力が大きい場合には無線タグラベルＴ１，Ｔ２，Ｔ３，Ｔ４が読み取られ、送信出力が小さい場合には無線タグラベルＴ１，Ｔ２，Ｔ３が読み取られている。一方、部下ｂの机上に設けられたリーダ２００により、送信出力が大きい場合及び小さい場合の両方において、無線タグラベルＴ４，Ｔ５，Ｔ６が読み取られている。ここでは、無線タグラベルＴ４が前述した重複領域Ｚ内に存在し、部下ａ，ｂの両方のリーダ２００により送信出力が大きい場合に重複して情報の読み取りが行われている。
【０１５５】
このとき、前述した図１５に示す情報振り分け処理により、部下ａ及び部下ｂに対応するリーダ２００における送信出力大・小の両方の受信結果に基づき、送信出力大と送信出力小の場合で受信結果が異ならないリーダ２００が特定される。すなわち、ここでは送信出力大と送信出力小の場合で受信結果が異ならない部下ｂに対応するリーダ２００が特定され、無線タグラベルＴ４の情報は部下ｂのリーダ２００で読み取られたものと見なされる。その結果、無線タグラベルＴ１，Ｔ２，Ｔ３の無線タグ情報は部下ａのリーダ２００の送信先である上司ＡのＰＣ端末１００に送信され、無線タグラベルＴ４，Ｔ５，Ｔ６の無線タグ情報は部下ｂのリーダ２００の送信先である上司ＢのＰＣ端末１００に送信される。
【０１５６】
以上説明した変形例においても、上記実施形態と同様の効果を得ることができる。
【０１５７】
なお、以上では大・小２種類の送信出力により情報の読み取りを行う場合を例にとって説明したが、これに限られず、さらに多数の種類の送信出力により情報の読み取りを行ってもよい。これにより、さらにきめ細かにリーダの特定を行うことができる。
【０１５８】
（２）リーダが情報送信先の設定モードと一般モードとを有する場合
上記実施形態では、リーダ２００は起動中常時全ての種類の無線タグラベルＴ（例えば設定タグＴと一般タグＴ）から情報の読み取りを行いタグラベル作成装置３００に送信するようにしたが、これに限られず、特定の種類のタグのみ読み取りを行うモードを有するようにしてもよい。
【０１５９】
図１７は、本変形例のリーダ２００の制御回路２０２”（図示せず）によって実行される制御手順を表すフローチャートであり、前述の図９等に対応する図である。この図１７において、図９等と同様の手順には同符号を付し説明を省略する。なお、制御回路２０２”は、リーダ２００の電源が投入された際にこのフローを開始する。
【０１６０】
まずステップＳ５０１では、リーダ２００の動作モードを、設定タグＴから送信先情報を取得しタグラベル作成装置３００に送信する「設定モード」に設定する。
【０１６１】
次のステップＳ６００では、設定タグＴから送信先情報を取得しタグラベル作成装置３００に送信する設定モード処理を行う（詳細は後述の図１８参照）。
【０１６２】
次のステップＳ５０３では、上記設定モード処理が完了したか否かを判定する。例えば通信不良により設定タグＴから無線タグ情報を良好に読み取れなかった場合等、設定モード処理が完了していない場合には、判定が満たされずに上記ステップＳ６００に戻り、再度設定モード処理を行う。一方、設定モード処理が完了している場合には、判定が満たされて次のステップＳ５０７に移る。
【０１６３】
ステップＳ５０７では、リーダ２００の動作モードを、一般タグＴから無線タグ情報を取得しタグラベル作成装置３００に送信する「通常モード」に設定する。
【０１６４】
次のステップＳ５１０〜ステップＳ５３０は前述の図９と同様であり、問い合わせ信号を通信可能領域内に存在する前述した社員証やファイル、資料等に備えられる無線タグ回路素子Ｔoに送信し、返信されたリプライ信号に基づき、当該リプライ信号を送信（返信）した無線タグラベルＴの無線タグ情報を読み取り取得する。なお、この無線タグ情報は記憶部２０３に一時的に記憶される。
【０１６５】
次のステップＳ５３５では、上記ステップＳ５３０で取得した無線タグ情報に基づき、情報読み取りを行った無線タグラベルＴが一般タグであるか否かを判定する。この判定は、取得した無線タグ情報中に前述した設定タグフラグが含まれるか否かを判定することにより行われる。設定タグフラグが含まれる場合には、設定タグと見なしてステップＳ５３７に移り、集線装置３０を介して（例えば全台の）ＰＣ端末１００に制御信号を出力し、表示部１０１にエラー表示（例えば「送信先設定は既に行われています！」等）を行わせる。なお、当該エラーの報知は表示に限られず音声で行ってもよい。また、ＰＣ端末１００ではなく、リーダ２００の図示しないエラー報知手段により報知を行うようにしてもよい。そして、先のステップＳ５１０に戻る。一方、上記ステップＳ５３５において、設定タグフラグが含まれない場合には、一般タグと見なして次のステップＳ５４０に移る。
【０１６６】
ステップＳ５４０及びステップＳ５５０は前述の図９と同様であり、上記受信したリプライ信号の強度を示す信号「ＲＳＳＩ」を上記ＲＳＳＩ回路２２６から入力し、上記ステップＳ５３０で取得し記憶させた無線タグ情報を、上記ステップＳ５４０で入力した信号強度情報とともに、インターフェース制御部２０４及び集線装置３０を介しタグラベル作成装置３００に送信する。
【０１６７】
次のステップＳ５６０では、リーダ２００の電源がＯＦＦにされたか否かを判定する。電源がＯＦＦにされていなければ、先のステップＳ５１０に移り、再度問い合わせ信号を通信可能領域内に存在する無線タグ回路素子Ｔoに送信する。一方、電源がＯＦＦにされた場合には、本フローを終了する。
【０１６８】
なお、上記フローは本発明を上記フローに示す手順に限定するものではなく、発明の趣旨及び技術的思想を逸脱しない範囲内で手順を変更してもよい。
【０１６９】
図１８は、上記ステップＳ６００の詳細手順を表すフローチャートである。
【０１７０】
この図１８において、まずステップＳ６１０では、無線タグラベルＴの無線タグ回路素子ＴoのＩＣ回路部１５０にそれぞれ記憶された情報を読み取るための問い合わせ信号を生成し、高周波回路２０１及びアンテナ２１０を介し、通信可能領域内に存在する無線タグラベルＴに備えられる無線タグ回路素子Ｔoに送信し、返信を促す。
【０１７１】
その後、ステップＳ６２０に移り、上記問い合わせ信号に対応し無線タグラベルＴの無線タグ回路素子Ｔoから送信（返信）されたリプライ信号がアンテナ２１０及び高周波回路２０１を介し受信されたかどうかを判定する。無線タグラベルＴからリプライ信号が受信されていなければ判定が満たされずにステップＳ６１０に戻り、再び問い合わせ信号の送信を繰り返す。一方、無線タグラベルＴからリプライ信号を受信している場合には、判定が満たされて次のステップＳ６３０に移る。
【０１７２】
ステップＳ６３０では、上記受信したリプライ信号に基づき、当該リプライ信号を送信（返信）した無線タグラベルＴの無線タグ情報を読み取り取得する。この無線タグ情報には、前述したようにリーダ２００のアンテナ２１０を介して読み取られた無線タグ情報の送信先を表す送信先情報と、無線タグラベルＴがリーダ２００の情報送信先設定用であることを表す設定タグフラグが含まれる。なお、取得した無線タグ情報は記憶部２０３に一時的に記憶される。
【０１７３】
次のステップＳ６３５では、上記ステップＳ６３０で取得した無線タグ情報に基づき、情報読み取りを行った無線タグラベルＴが設定タグであるか否かを判定する。この判定は、取得した無線タグ情報中に上記設定タグフラグが含まれるか否かを判定することにより行われる。設定タグフラグが含まれない場合には、一般タグと見なしてステップＳ６３７に移り、集線装置３０を介して（例えば全台の）ＰＣ端末１００に制御信号を出力し、表示部１０１にエラー表示（例えば「送信先の設定を行ってください！」等）を行わせる。なお、当該エラーの報知は表示に限られず音声で行ってもよい。また、ＰＣ端末１００ではなく、リーダ２００の図示しないエラー報知手段により報知を行うようにしてもよい。そして、先のステップＳ６１０に戻る。一方、上記ステップＳ６３５において、設定タグフラグが含まれる場合には、設定タグと見なして次のステップＳ６４０に移る。
【０１７４】
次のステップＳ６４０では、上記ステップＳ６３０で取得し記憶させた無線タグ情報を、インターフェース制御部２０４及び集線装置３０を介しタグラベル作成装置３００に送信する。これにより本ルーチンを終了する。
【０１７５】
以上において、設定モードは、特許請求の範囲各項記載の無線タグ情報管理サーバからの情報振り分け先設定用の無線タグ回路素子から振り分け先情報を取得し、無線タグ情報管理サーバへ出力する振り分け先情報出力モードに相当し、通常モードは、情報読み取り用の無線タグ回路素子から情報を取得し、無線タグ情報管理サーバへ出力する一般情報出力モードに相当する。また、上記制御回路２０２”によって実行されるステップＳ５０３の手順は、振り分け先情報出力モードと一般情報出力モードとを切り替えるモード切替手段を構成する。
【０１７６】
なお、上記フローは本発明を上記フローに示す手順に限定するものではなく、発明の趣旨及び技術的思想を逸脱しない範囲内で手順を変更してもよい。
【０１７７】
以上説明した変形例によれば、電源投入直後において自動的に設定モードとして設定タグＴから情報読み取りを行い、読み取った送信先情報に基づきタグラベル作成装置３００で自動的に送信先を設定することができる。そしてその設定が終わったら自動的に通常モードにおいて一般タグＴからの情報読み取りを行うことができる。これにより、新たな送信先に情報を送信したい場合において電源投入前に設定しておいた旧送信先に誤って情報を送信するのを防止することができる。特に、ユーザが携帯可能なハンディタイプのリーダを用いる場合、使用場所が変わることによる情報の送信先の変更が多く、また電源のＯＮ／ＯＦＦの頻度も多いことから、効果的である。
【０１７８】
なお、以上では設定モードと一般モードの２種類のモードを設定する場合を一例として説明したが、さらに多種類のモードを設定可能な構成としてもよい。
【０１７９】
（３）複数社員の勤怠管理に用いる場合
以上においては、１人の社員の勤怠管理情報がその上司に送信される場合を例にとって説明したが、これに限られず、さらに広い通信領域を有するリーダを用いて複数の社員勤怠管理情報がその上司に送信される勤怠管理システムに本発明を適用してもよい。
【０１８０】
図１９はこの場合における無線タグ情報読み取りシステム１’の全体構成を表すシステム構成図である。ここでは、通信領域Ｘを有するリーダ２００で読み取られた部下ａ１〜ａ４の勤怠管理情報が上司ＡのＰＣ端末１００に送信され、通信領域Ｙを有するリーダ２００で読み取られた部下ｂ１〜ｂ４の勤怠管理情報が上司ＢのＰＣ端末１００に送信される。重複領域Ｚにおいて両方のリーダ２００に重複して読み取られた無線タグ情報は、前述した制御によって適当に振り分けられ、上司Ａ又は上司ＢのＰＣ端末１００に送信されるようになっている。
【０１８１】
また、このような会社における社員の勤怠管理に限られず、例えば店頭における商品管理、倉庫における在庫管理等、種々の場面に本発明は適用可能である。
【０１８２】
（４）その他
以上においては、リーダ２００のアンテナ２１０としてパッチアンテナを用いる場合を例にとって説明したが、これに限られず、例えばダイポールアンテナを用いてもよい。また、以上ではリーダ２００と無線タグ回路素子Ｔoとの間でＵＨＦ帯を用いた電波通信により情報送受信を行う場合を例にとって説明したが、これに限られず、例えばリーダ２００側のアンテナ２１０や無線タグ回路素子Ｔo側のアンテナ１５１としてコイル状のループアンテナを用い、磁気誘導（電磁誘導、磁気結合、その他電磁界を介して行われる非接触方式を含む）により情報送受信を行うようにしてもよい。
【０１８３】
以上においては、タグラベル作成装置３００において移動中のタグテープ３０３に対して無線タグ情報の書き込み・読み取りや印字を行う例を示したが、これに限られず、タグテープ３０３を所定位置で停止させて（さらに読み取り・書き込みについては所定の搬送ガイドにて保持した状態としてもよい）上記印字や読み取り・書き込みを行うようにしてもよい。
【０１８４】
また、以上において、印字及び無線タグ回路素子Ｔoへのアクセス（読み取り又は書き込み）の終了したタグテープ３０３をカッタ３０７で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【０１８５】
また、以上においては、タグテープ３０３に印字を行う方式（貼りあわせを行わないタイプ）であったが、これに限られず、無線タグ回路素子Ｔoを備えたタグテープ３０３とは別のカバーフィルムに印字を行ってこれらを貼り合わせる方式に本発明を適用してもよい。
【０１８６】
さらに、以上は、タグテープがリール部材の周りに巻回されてロールを構成し、そのロールからタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）おき、この収納部から移送、搬送して印字及び書き込みを行いタグラベルを作成するようにしてもよい。
【０１８７】
なお、以上で用いた「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１８８】
また、以上既に述べた以外にも、上記実施形態や各変形例による手法を適宜組み合わせて利用しても良い。
【０１８９】
その他、一々例示はしないが、本発明は、その趣旨を逸脱しない範囲内において、種々の変更が加えられて実施されるものである。
【図面の簡単な説明】
【０１９０】
【図１】本発明の無線タグ情報読み取りシステムの一実施形態の全体構成を表すシステム構成図である。
【図２】リーダ及びタグラベル作成装置の全体構成を概念的に表す全体構成図である。
【図３】リーダの制御系の構成を表す機能ブロック図である。
【図４】タグラベル作成装置の制御回路の詳細機能を表す機能ブロック図である。
【図５】タグテープ及び無線タグラベルに備えられた上記無線タグ回路素子の機能的構成の一例を表すブロック図である。
【図６】設定用の無線タグラベルを作成する際にタグラベル作成装置の制御回路によって実行される制御手順を表すフローチャートである。
【図７】ステップＳ２００の詳細手順を表すフローチャートである。
【図８】作成された無線タグラベルに備えられた無線タグ回路素子のＩＣ回路部のメモリ部に記憶されたデータ内容を概念的に表す図である。
【図９】リーダによる無線タグ情報の読み取りの際に、リーダの制御回路によって実行される制御手順を表すフローチャートである。
【図１０】リーダより無線タグ情報を受信した際にタグラベル作成装置の制御回路によって実行される制御手順を表すフローチャートである。
【図１１】ステップＳ４００の詳細手順を表すフローチャートである。
【図１２】情報の振り分けの一例を説明するための図である。
【図１３】リーダで複数種類の送信出力により情報読み取りを行う場合の変形例において、リーダの制御回路によって実行される制御手順を表すフローチャートである。
【図１４】リーダで複数種類の送信出力により情報読み取りを行う場合の変形例において、リーダより無線タグ情報を受信した際にタグラベル作成装置の制御回路によって実行される制御手順を表すフローチャートである。
【図１５】ステップＳ４００Ａの詳細手順を表すフローチャートである。
【図１６】リーダで複数種類の送信出力により情報読み取りを行う場合の変形例における情報の振り分けの一例を説明するための図である。
【図１７】リーダが情報送信先の設定モードと一般モードとを有する場合の変形例において、リーダの制御回路によって実行される制御手順を表すフローチャートである。
【図１８】ステップＳ６００の詳細手順を表すフローチャートである。
【図１９】複数社員の勤怠管理に用いる変形例における無線タグ情報読み取りシステムの全体構成を表すシステム構成図である。
【符号の説明】
【０１９１】
１          無線タグ情報読み取りシステム
１’        無線タグ情報読み取りシステム
３０        集線装置（配信接続手段）
１００      ＰＣ端末（操作端末）
１５０      ＩＣ回路部
１５１      アンテナ（タグ側アンテナ）
２００      リーダ（無線タグ情報読み取り装置）
２０２      制御回路
２０２’    制御回路
２０２”    制御回路
２１０      アンテナ（読み取り用アンテナ）
３００      タグラベル作成装置（無線タグ情報管理サーバ）
３０３      タグテープ（タグ媒体）
３０６      アンテナ（ラベル作成用アンテナ）
３０８      搬送ローラ（搬送手段）
３１０      記憶部（読み取り情報記憶手段）
３１１      制御回路
３１１’    制御回路
Ｔo         無線タグ回路素子
【図１】
2008134878.tif 000003
【図２】
2008134878.tif 000004
【図３】
2008134878.tif 000005
【図４】
2008134878.tif 000006
【図５】
2008134878.tif 000007
【図６】
2008134878.tif 000008
【図７】
2008134878.tif 000009
【図８】
2008134878.tif 000010
【図９】
2008134878.tif 000011
【図１０】
2008134878.tif 000012
【図１１】
2008134878.tif 000013
【図１２】
2008134878.tif 000014
【図１３】
2008134878.tif 000015
【図１４】
2008134878.tif 000016
【図１５】
2008134878.tif 000017
【図１６】
2008134878.tif 000018
【図１７】
2008134878.tif 000019
【図１８】
2008134878.tif 000020
【図１９】
2008134878.tif 000021